(57)【要約】【課題】比較的軽量であって容積が大きいながら浮力が小さくて且つ通水性に優れ、しかも多方向からの圧力にも強い土に代わる充填材を提供する。【解決手段】土の代わりに埋める充填材（１）を、所定の軸長を有する筒状部（少なくとも外周円筒部５）と、該筒状部の中心軸に平行な平面上に延在し、且つ前記筒状部に内接する複数の板状部（放射状リブ３）とを有するものとする。これにより、多数をまとめて袋などの中に入れると、筒状部および板状部同士が互いに干渉し合って全体としてはかなり嵩張るものとなるが、個々には外形輪郭の大きさの割には少ない材料で形成することができる。従って、浮力の低減と軽量化とを両立することができる。【選択図】      図１
2004308143.tif 000002
【特許請求の範囲】
【請求項１】
所定の軸長を有する筒状部と、該筒状部の中心軸に平行な平面上に延在し、且つ前記筒状部に内接する複数の板状部とを有することを特徴とする土に代わる充填材。
【請求項２】
前記複数の板状部は、前記筒状部の中心軸から放射方向に延出されていることを特徴とする請求項１に記載の土に代わる充填材。
【請求項３】
前記筒状部は、同心的に配された複数のものからなり、そのうちの最内周に位置するものの外周面から前記複数の板状部が放射状に延出されていることを特徴とする請求項２に記載の土に代わる充填材。
【請求項４】
前記筒状部の中心軸に直交し、且つ前記複数の板状部と交差する平板部を有し、前記平板部における前記筒状部の内周側に位置する部分に軸方向の貫通孔を設けたことを特徴とする請求項１乃至３のいずれかに記載の土に代わる充填材。
【請求項５】
前記複数の板状部は、前記筒状部の軸線方向から見て格子状に交差配置されていることを特徴とする請求項１に記載の土に代わる充填材。
【請求項６】
外形輪郭が、前記筒状部の直径と略等しい直径の仮想球面に内接することを特徴とする請求項１乃至５のいずれかに記載の土に代わる充填材。
【発明の詳細な説明】
【０００１】
【発明の属する技術分野】
本発明は、路面下に埋設された設備の補修、或いは交換を行う際に、掘り起こした穴を仮に埋め戻すために用いたり、埋め立てや土手の盛土として用いたりする充填材に関するものである。
【０００２】
【従来の技術】
例えば、路面下に埋設されたガス管の補修工事、或いは交換工事を夜間のみ複数日に亘って実施するような場合、日中の通行に支障のないように、掘り起こした土砂を仮に埋め戻さなければならない。この仮の埋め戻し作業、及び再度の掘り起こし作業のために、多大な労力および時間の浪費を余儀なくされる。
【０００３】
このような不都合を改善する技術として、非透水性の単泡性発泡樹脂からなる仮埋素材を用いた工法が、例えば特公平１−１４３６５号公報に開示されている。
【０００４】
【特許文献１】
特公平１−１４３６５号公報
【０００５】
【発明が解決しようとする課題】
しかるに、この従来技術によると、発泡体は軽量であり且つ容積が大きいので、取り扱いが極めて容易である反面、比重が小さいために浮力が大きく、水位の高い地域で用いると、掘り起こした穴に湧き出した水で仮埋素材が浮き上がり、仮設路面を盛り上げてしまうという不都合を生ずる可能性があった。
【０００６】
本発明は、このような従来技術の問題点を解消すべく案出されたものであり、その主な目的は、比較的軽量であって容積が大きいながら浮力が小さくて且つ通水性に優れ、しかも多方向からの圧力にも強い土に代わる充填材を提供することにある。
【０００７】
【課題を解決するための手段】
このような目的を果たすために、本発明の請求項１においては、所定の軸長を有する筒状部（少なくとも外周円筒部５）と、該筒状部の中心軸に平行な平面上に延在し、且つ前記筒状部に内接する複数の板状部とを有することを特徴とする土に代わる充填材（１）を提供することとした。複数の板状部は、筒状部の中心軸から放射方向に延出されているもの（請求項２）としたり、筒状部の軸線方向から見て格子状に交差配置されているもの（請求項５）としたりすることができる。
【０００８】
これによれば、多数をまとめて袋などの中に入れると、筒状部および板状部が互いに干渉し合って全体としてはかなり嵩張るものとなるが、個々には外形輪郭の大きさの割には少ない材料で形成することができる。従って、浮力の低減と軽量化とを両立することができる。
【０００９】
請求項３においては、筒状部を、同心的に配された複数のものとし、そのうちの最内周に位置するもの（中心円筒部２）の外周面から複数の板状部（放射状リブ３）が放射状に延出されているものとした。これにより、筒状部と放射板とが相互に連結されるので、外圧に対する耐力を高めることができる。
【００１０】
請求項４においては、筒状部の中心軸に直交し、且つ複数の放射板と交差する平板部（平板状円盤部４）を設け、該平板部における筒状部の内周側に位置する部分に軸方向の貫通孔（８）を設けたものとした。これにより、筒状部、放射板、および平板部が相互に連結されるので、外圧に対する耐力をより一層大きくすることができ、しかも水没した際に空気溜まりが形成されないので、浮力が大きくならずに済む。
【００１１】
請求項６においては、その外形輪郭が球形になるようにした。これにより、袋などの中に多数入れた際に隙間なく均一に詰まるので、土嚢の代替品としての使用性を高めることができる。
【００１２】
【発明の実施の形態】
以下に添付の図面を参照して本発明の構成を詳細に説明する。
【００１３】
図１〜図６は、本発明に基づき構成された充填材の単体を示している。この充填材１は、例えば合成樹脂材で射出成型されており、所定の軸長を有する中心円筒部２と、該中心円筒部２の外周面に端を発し、且つ中心円筒部２の中心軸から放射方向に９０度間隔で延出された４つの放射状リブ３と、中心円筒部２の中心軸の軸線方向中央位置に直交し、且つ放射状リブ３と交差する平板状円盤部４と、放射状リブ３及び平板状円盤部４の外周縁に接続され、且つ中心円筒部２と同心をなす短寸な外周円筒部５と、中心円筒部２と外周円筒部５との間に、これら両円筒部２・５と同心的に配置され、且つ放射状リブ３の半径方向中間部と交差した中間円筒部６と、互いに隣り合う放射状リブ３同士の周方向中間位置にて外周円筒部５の内周と中間円筒部６の外周とを結ぶ４つの外周側リブ７とを有している。
【００１４】
放射状リブ３並びに外周側リブ７は、それぞれの外形輪郭が、外周円筒部５の外径寸法、あるいは中心円筒部２の軸線方向寸法を直径とする半円形をなしている。これにより、充填材１の外形輪郭は、全体として外周円筒部５の外径寸法（中心円筒部２の軸線方向寸法）を直径とする仮想球面に内接した形態をなしている。
【００１５】
平板状円盤部４における各リブ３・７および各円筒部２・５・６で囲まれた部分には、それぞれ軸線方向に貫通する孔８が開設されている。
【００１６】
この充填材１は、適宜な容量の袋状をなすネット内に多数詰め込まれ、所謂土嚢状にして使用される。図７に示したように、土を掘り起こして露出したガス管１１の周囲に、充填材１をネット詰めにした仮埋め体１２を適量充填し、その上面を概ね水平にしておく。次に仮埋め体１２の上面に例えばビニールシート１３を敷き、その上に路面とほぼ面一となるまで適量の砕石１４を充填し、最後にアスファルト等の加熱性合材１５などで覆って仮設道路の施工が完了する。
【００１７】
再度掘り起こす際には、仮埋め体１２を取り除けば良いので、土砂のみで埋め戻したのに比べて格段に高能率にガス管１１を露出させることができる。また充填材１は幾度でも再利用できるので、経済的でもある。
【００１８】
この充填材１は、中心円筒部２、放射状リブ３、平板状円盤部４、外周円筒部５、中間円筒部６、並びに外周側リブ７といった基本的に薄肉な板状部で全体が球形をなすように構成されている。これによれば、少ない材料で嵩の大きなものを形成することができる上、袋詰めした際に、収まりが良く、密度が均一となる。しかも各円筒部２・４・６は、径方向に延在するリブ３・７で互いに連結されているので、外圧に対する耐変形性が高く、袋詰めした仮埋め体１２に重量が加わった際の容積変化が極めて少なくて済む。
【００１９】
この充填材１の構造によると、平板状円盤部４と、各リブ３・７と、各円筒部２・５・６とで囲まれた部分に空間が形成されるが、平板状円盤部４に形成された孔８により、この空間に空気あるいは水が溜まることが防止される。従って、水没した際に浮力が増大することがなく、また土中にあっては、高い通水性を確保して良好な水はけが維持される。
【００２０】
本発明の充填材１は、ポリエチレン、ポリプロピレン、ＡＢＳ樹脂、あるいはポリアセタールなどの合成樹脂材を用いて成型することができる。耐薬品性、経済性の点からは、特にポリプロピレンが好ましい。また比重は、小さすぎると水に浮いてしまい、大きすぎると運搬に不便であるので、基本的には水と同等の０．９〜１．２（ｇ／ｍｌ）程度が好ましい。ポリプロピレンの比重は０．９１（ｇ／ｍｌ）であり、この点でも最適である。
【００２１】
以上、一つの好適実施例について本発明を説明したが、本発明による充填材１における筒状部としての円筒部の数量や板状部としてのリブの数量は、上記実施例に示したものに限定されず、適宜に設定可能である。特に中心部は必ずしも筒状である必要はなく、中実軸としても良いし、図８に示したように、外周円筒部Ｃに内接して放射配置された複数の板状部Ｐを単に中心で交差させた軸芯のない形態としても良い。また複数の板状部Ｐは、図９に示したように、外周円筒部Ｃの軸線方向から見て格子状に交差配置するようにしても良い。さらに外形輪郭も、真球に限らず、断面形状が多角形となるものであっても良い。
【００２２】
用途については、上記のガス管工事に限らず、水道、電気など、路面下に埋設される設備のための工事用に広汎に利用することができる。また本発明の充填材は、良好な水はけ性を活用し、埋め立てや土手などを築く際の盛土の一部にも好適に充てることができる。
【００２３】
【発明の効果】
以上詳述した通り本発明によれば、以下の如き格別な効果を奏することができる。
１．所定の軸長を有する筒状部としての円筒部、および筒状部の中心軸に平行な平面上に延在し、且つ筒状部に内接する複数の板状部（例えば放射状リブ）で埋め戻し用充填材を構成したので、多数をまとめて袋などの中に入れると、筒状部および板状部が互いに干渉し合って全体としてはかなり嵩張るものとなるが、個々には外形輪郭の大きさの割には少ない材料で形成することができる。従って、浮力の低減と軽量化とを両立することができる。
２．複数の筒状部を同心的に配すると共に、そのうちの最内周に位置する中心円筒部の外周面から放射板を延出し、筒状部と放射板とが相互に連結されるものとすれば、外圧に対する耐力が高められる。
３．筒状部の中心軸に直交し且つ複数の放射板と交差する平板部としての平板状円盤部を設け、該平板部における筒状部の内周側に位置する部分に軸方向の貫通孔を設け、筒状部、放射板、および平板部が相互に連結されるものとすれば、外圧に対する耐力をより一層大きくすることができる。これにより、仮設路面上を通行する重量で路面が沈降することが無い。しかも水没した際に空気溜まりが形成されないので、浮力が大きくならずに済む上、通水性を確保し得るので土中にあっては水はけを阻害することがない。
４．その外形輪郭が球形になるようにすれば、袋などの中に多数入れた際に隙間なく均一に詰まり、土嚢の代替品としての使用性を高めることができる。
【図面の簡単な説明】
【図１】本発明による充填材の単体斜視図
【図２】本発明による充填材の正面図
【図３】本発明による充填材の平面図
【図４】図３中のＩＶ−ＩＶ線に沿う断面図
【図５】図３中のＶ−Ｖに沿う断面図
【図６】図３中のＶＩ−ＶＩに沿う断面図
【図７】使用の態様を示す概念的な断面図
【図８】別の形態の概念的斜視図
【図９】さらに別の形態の概念的斜視図
【符号の説明】
１  充填材
２  中心円筒部
３  放射状リブ
４  平板状円盤部
５  外周円筒部
６  中間円筒部
７  外周側リブ
８  孔
１２  仮埋め体
【図１】
2004308143.tif 000003
【図２】
2004308143.tif 000004
【図３】
2004308143.tif 000005
【図４】
2004308143.tif 000006
【図５】
2004308143.tif 000007
【図６】
2004308143.tif 000008
【図７】
2004308143.tif 000009
【図８】
2004308143.tif 000010
【図９】
2004308143.tif 000011